(57)【要約】      （修正有）【課題】外ケースから、中ケースや内ケースを同時に、もしくは個別に引出すための操作部を、一切外部に顕出しないようにすることで、マジック的な要素を高めた組合せ容器を提供する。【解決手段】開口部の底板縁部に内側への折込み片２ｈと、閉鎖部の裏面に、上下方向に可動するストッパー２ｄを有する外ケース２と、窓部３ｅを有し、外ケースの閉鎖部側に位置する開口部の、底板３ａ縁部に沿って折込み片２ｈと係合する折返し片３ｆを有する。さらに、折返し片３ｆを底面側に折り曲げたとき、底面側縁に溝状の切欠き部３ｇが形成される中ケース３と、底板の四周に沿って、側板と内側への折返し片が連続的に付設され、底板の一方の短縁の一部に、折返し片に突出形成させた係止突片４ｉを挿通させる切込みを底面に形成した内ケース４とで組合せ容器１を構成する。【選択図】図１
0003183594.tif 000002
【実用新案登録請求の範囲】
【請求項１】
外ケースに設けられた開口部から、中ケースもしくは内ケースを収納する中ケースを引出し自在に設けた組合せ容器であって、
前記外ケースは、
筒状体の一方の開口部の底板縁部に沿って内側への折込み片が形成されるとともに、他方の閉鎖部の底板に、先端部が上下方向に可動するストッパーが付設されたもので、
前記中ケースは、
筒状体の上面板に窓部を有し、前記外ケースの閉鎖部側に位置する開口部の、底板縁部に沿って前記外ケースの折込み片と係合する折返し片が付設され、前記折返し片と底板との間に所要形状の切欠き部が形成され、前記折返し片を底板側に折返したとき、前記底板側縁に溝状の切欠き部を形成するよう構成され、
前記内ケースは、
底板の四周に沿って側板と内側への折返し片が連続的に付設されるとともに、前記閉鎖部側の底板の短縁に設けられた折返し片に係止突片が付設され、この付設突片を前記底板裏面に突出させるための切欠きが、前記短縁に形成されていること
を特徴とする組合せ容器。
【請求項２】
前記外ケースは、
その底板上に、先端部に切欠きによって、上下方向に可動するストッパーを設けたストッパー部材を、前記ストッパーが、当該外ケースの閉鎖部に位置するよう設けられていること
を特徴とする請求項１に記載の組合せ容器。
【請求項３】
前記ストッパー部材は、
前記外ケースの上面板の、一方側の長縁に付設される側板の先端縁に沿って連続的に設けられ、外ケースの底板上に貼着可能に構成されていること
を特徴とする請求項２に記載の組合せ容器。
【請求項４】
前記中ケースは、
前記折返し片を底板の裏面側に折り曲げたとき、前記底板に形成される溝状の切欠き部の近傍に、カード類を挟み込むための切込みが形成されていること
を特徴とする請求項１に記載の組合せ容器。
【請求項５】
前記中ケースは、
前記外ケースの閉鎖部側に位置する側板の短縁に、前記係合突片を底板裏面に突出させるための切欠きを形成するに際し、前記切欠きを内側に偏倚させて設けることによって、前記係合突片の背面と当接する突出片を形成したこと
を特徴とする請求項１に記載の組合せ容器。
【請求項６】
前記内ケースは、
各側壁を構成する側板に、それぞれ内側への折返し片が付設され、前記側板を補強するよう構成されていること
を特徴とする請求項１に記載の組合せ容器。
【考案の詳細な説明】
【技術分野】
【０００１】
この考案は、複数のケースの組合せからなるものであって、操作の仕方によってマジックのごとき趣を感じさせる、組合せ容器に関するものである。
【背景技術】
【０００２】
容器を構成する外ケースと、この外ケース内に収納される、内ケースを有する中ケースからなる組合せ容器の一例として、例えば、実公昭３１−１９７３６号公報（特許文献１）おいて、魔術箱玩具が提案されている。
【０００３】
この魔術箱玩具は、奥部側壁及両側壁の奥端部を切除した引出状容体と、これに合致する無蓋の函体状容体、及び前方の側壁を欠除し、左右両側壁の前端に指嵌用の欠所を形成した外函をそれぞれ形成し、無蓋の函体状容体を嵌載した引出状容体を、当該外函内に装入して、引出状容体の裏面奥部に適当長の引止め片の一端を附し、その他端を外函内奥部の適所に附したものである。
【０００４】
さらに、実公昭４１−１８０１７号公報（特許文献２）においては、多少奇術味を含めたケースが提案されている。
このケースは、平面を方形、長方形もしくは多角形、楕円形等適当の形状とし、上板の尾端方下面に両側壁との間に間隙を設けると共に、上板下面の尾端方へ下向きの係止部を設けた筒状外箱体と、当該筒状外箱体の前側開口部より挿出入するに適合するようにし、前側壁及びその両側壁を以て、平面逆コ字状の側壁を形成して有底とし、両側壁の尾端両側に抜止子を有する外抽出しと、この外抽出しの内へ、側面チャネル状にして、その前側壁は外抽出しの前側壁の内側に密接し、後側壁は前記外抽出しの後側壁を形成し、その後端下面に外抽出への係止部を有する内抽出しを有するものである。
【０００５】
さらに、実公昭６１−１２３５８公報（特許文献３）においては、横断面方形状の外装と、内装および摺動体とからなる組合せ容器が提案されている。
この組合せ容器において、前記外装は一端閉鎖状、他端開放で、底壁の閉鎖端側端部に二条の切込みによる押込片と、開放端には内方に折込む係止片を有するものである。
前記内装は、底壁の四周に左側壁、右側壁、後壁及び前壁を連設し、該底壁の前記押込片と対応する個所に切込みを有するものである。
さらに、前記摺動体は、底壁の三周に左側壁、右側壁及び後壁を連設し、残りの一辺は開放状として係止片を連設したものであって、前記内装を摺動体内に、前記切込みと係止片とを合致させる向きに収納したものをさらに、係止片を外方に、係止片を内方に折返した状態で外装体内に、係止片側から挿入して構成するものである。
【０００６】
さらにまた、実公昭６２−４０６４０号公報（特許文献４）においては、おもちゃ兼用の箱が開示されている。
具体的には、後面から出し入れ可能に内箱を収容している中箱を、外箱の前面から出し入れ可能に内挿してなる箱において、内箱は、外箱の切欠部において外箱外へ僅かに突出可能な突出部を、後板の片側又は両側にもつ無蓋の箱とする。
中箱は、天板に切抜部を底板後端縁には箱の外方へ折り曲げる折返片を持つもので、外箱は、左右の一方のみ又は両方の側板後端縁を一部切欠いた上、それに切込を入れることによって、夫々切欠部と切込線とし、左右両側板前端縁には切落部を設けるとともに、底板前端縁には、箱の内方に折り曲げられる折返片を有するものである。
【先行技術文献】
【特許文献】
【０００７】
【特許文献１】実公昭３１−１９７３６号公報（登録請求の範囲、第１図から第３図）
【特許文献２】実公昭４１−１８０１７号公報（実用新案登録請求の範囲、第３図）
【特許文献３】実公昭６１−１２３５８公報（実用新案登録請求の範囲、第４図）
【特許文献４】実公昭６２−４０６４０号公報（実用新案登録請求の範囲、第４図から第６図）
【考案の概要】
【考案が解決しようとする課題】
【０００８】
前記特許文献１に記載の魔術箱玩具は、引出状容体の裏面奥部に、適当長の引止め片の一端を附し、その他端を外函内奥部の適所に固定することで、前記引出状容体が外函から離脱するのを防止しているが、構造が複雑で組立てが容易でない課題を有する。
【０００９】
特許文献２に記載の組合せ容器は、筒状の外箱と長手方向の側壁が切除された皿状の内引出しおよび短辺側の一方の側壁が切除された外引出しからなるもので、明らかに内引出しと外引出しの形状が異なるため、マジック的な感覚に欠けるものである。
【００１０】
特許文献３に記載の組合せ容器は、第６図で明らかなように、横断面が方形状の外装の一方側の底面に押込片と切込みおよび切欠きが形成されているので、操作部が外見から判断できるため、特許文献２と同様にマジック的な感覚に欠けるものである。
【００１１】
特許文献４に記載のおもちゃ兼用の箱も、第６図から明らかなように、操作部である切込部と切込線が外箱に顕出しているので、前記特許文献２，３と同様にマジック的な感覚に欠けるものである。
【００１２】
この考案はかかる現状に鑑み、外ケースから、中ケースや内ケースを同時に、もしくは個別に引出すための操作部を、一切外部に顕出しないようにすることで、マジック的な要素を高めるとともに、操作もきわめて簡単な組合せ容器を提供することを目的とするものである。
【課題を解決するための手段】
【００１３】
前記目的を達成するため、請求項１に記載の考案は、
外ケースに設けられた開口部から、中ケースもしくは内ケースを収納する中ケースを引出し自在に設けた組合せ容器であって、
前記外ケースは、
筒状体の一方の開口部の底板縁部に沿って内側への折込み片が形成されるとともに、他方の閉鎖部の底板に、先端部が上下方向に可動するストッパーが付設されたもので、
前記中ケースは、
筒状体の上面板に窓部を有し、前記外ケースの閉鎖部側に位置する開口部の、底板縁部に沿って前記外ケースの折込み片と係合する折返し片が付設され、前記折返し片と底板との間に所要形状の切欠き部が形成され、前記折返し片を底板側に折返したとき、前記底板側縁に溝状の切欠き部を形成するよう構成され、
前記内ケースは、
底板の四周に沿って側板と内側への折返し片が連続的に付設されるとともに、前記閉鎖部側の底板の短縁に設けられた折返し片に係止突片が付設され、この付設突片を前記底板裏面に突出させるための切欠きが、前記短縁に形成されていること
を特徴とする組合せ容器である。
【００１４】
請求項２に記載の考案は、
請求項１に記載の組合せ容器において、
前記外ケースは、
その底板上に、先端部に切欠きによって、上下方向に可動するストッパーを設けたストッパー部材を、前記ストッパーが、当該外ケースの閉鎖部に位置するよう設けられていること
を特徴とするものである。
【００１５】
請求項３に記載の組合せ容器は、
請求項２に記載の組合せ容器において、
前記ストッパー部材は、
前記外ケースの上面板の、一方側の長縁に付設される側板の先端縁に沿って連続的に設けられ、外ケースの底板上に貼着可能に構成されていること
を特徴とするものである。
【００１６】
請求項４に記載の考案は、
請求項１に記載の組合せ容器において、
前記中ケースは、
前記折返し片を底板の裏面側に折り曲げたとき、前記底板に形成される溝状の切欠き部の近傍に、カード類を挟み込むための切込みが形成されていること
を特徴とするものである。
【００１７】
請求項５に記載の考案は、
請求項１に記載の組合せ容器において、
前記中ケースは、
前記外ケースの閉鎖部側に位置する側板の短縁に、前記係合突片を底板裏面に突出させるための切欠きを形成するに際し、前記切欠きを内側に偏倚させて設けることによって、前記係合突片の背面と当接する突出片を形成したこと
を特徴とするものである。
【００１８】
請求項６に記載の考案は、
請求項１に記載の組合せ容器において、
前記内ケースは、
各側壁を構成する側板に、それぞれ内側への折返し片が付設され、前記側板を補強するよう構成されていること
を特徴とするものである。
【考案の効果】
【００１９】
この考案にかかる組合せ容器は、操作者の技量にもよるが、中ケースのみを引き出せば名刺のような薄いカード状の物体を顕出させることができ、中ケースと内ケースを同時に引き出すことによって、カード状の物体以外の立体形状を有する物品を取り出すことができ、さらには、一旦顕出させた物品を適宜消すこともできるので、マジック要素を有する容器として利用することができる。
【００２０】
その際、内ケースが中ケースと同時に移動させることを防止するストッパーを、外ケースの底板上に可動自在に設けることによって、内ケースを引き出す動作や、中ケースのみを引き出す動作を第三者に悟られることなく行うことができるので、よりマジック要素が高いものとすることができる。
【図面の簡単な説明】
【００２１】
【図１】この考案にかかる組合せ容器の概略説明図である。
【図２】前記組合せ容器を構成する外ケースの展開図である。
【図３】前記組合せ容器を構成する中ケースの展開図である。
【図４】前記組合せ容器を構成する内ケースの展開図である。
【図５】この考案にかかる組合せ容器の他の実施例を示す概略説明図である。
【図６】この考案にかかる組合せ容器のさらに他の実施例を示す概略説明図である。
【図７】この考案にかかる組合せ容器のさらに他の実施例を示す概略説明図である。
【考案を実施するための形態】
【００２２】
以下、この考案にかかる組合せ容器の実施の形態を、添付の図面に基づいて具体的に説明する。
なお、この考案の組合せ容器は、図示の実施例に限定されるものではなく、考案の要旨を変更しない範囲内で改良を加えることができるものである。
【００２３】
この考案の組合せ容器１は、図１で明らかなように、外ケース２と、この外ケース２内に引出し自在に装着される中ケース３と、この中ケース３内に保持される内ケース４とか構成されるものである。
【００２４】
前記外ケース２は、基本的には、図示しないが、筒状体の閉鎖部側の底板の短縁に沿って矩形状の切欠き部を形成し、この切欠き部の両端縁から開口部方向に、底板にそれぞれ所要長さの切込みを形成して上方に可動するストッパーを構成している。
しかしながら、このストッパーは、未操作の場合には、中ケースおよび内ケースとは係合していないので、この状態で中ケースを引出せば、常に内ケースのみが顕出するものである。
【００２５】
したがって、中ケースを顕出させるには、外ケースに切込みによって形成されたストッパーを指で押し上げ、ストッパーの先端と前記内ケースの係止突片とを強制的に係合させることで中ケースのみを引出すものである。
【００２６】
しかしながら、前記構成は、組合せ容器を第三者が手にすれば、その仕掛けが外観から容易に看取することができるので、興味を削ぐことになる。
【００２７】
そこで、この考案は、図２に示すように、矩形状の上面板２ａの左右の長縁に沿って所要幅の側板２ｂ，２ｃを付設して筒状体の構成を可能とするとともに、一方の側板２ｂの長縁に沿って、底板２ｆ上に貼着するための接着部Ｘ、Ｘを有するストッパー部材２ｅを付設したものである。
【００２８】
このストッパー部材２ｅには、図示のように閉鎖部側の短縁に接着部Ｘ，Ｘを避けて、切出しによってストッパー２ｄが設けられている。
【００２９】
他方の側板２ｃの長縁には底板２ｆが付設され、かつ開口部側の短縁には、それぞれ内側（筒状体内）に折り込むための折込み片２ｇ，２ｈが一体的に付設され、前記側板２ｂ，２ｃの開口側の端部には、指掛け用の円弧状の切欠き２ｉ，２ｉがそれぞれ付設されている。
【００３０】
かかる構成の外ケース２は、点線で示される折れ線を使用して所定の方向に折り曲げたのち、前記ストッパー部材２ｅの接着部Ｘ，Ｘに接着剤を塗布し、当該接着部Ｘ，Ｘを前記底板２ｆの上面に貼着して筒状体を形成する。
しかるのち、開口部と反対側を舌片からなる側壁で閉塞し、開口部側の上下の折込み片２ｇ，２ｈをそれぞれ内側に折り込み、筒状の外ケース２を完成させる。
【００３１】
なお、前記ストッパー部材２ｅの表面に接着剤を塗布せず、両面接着テープ（図示せず）を接着部Ｘ，Ｘに貼着し、当該ストッパー部材２ｅを底板２ｆの裏面に固定してもよい。
その際、いずれの場合でも、ストッパー部材２ｅに付設されたストッパー２ｄは、底板２ｆの裏面とは固定されず、フリーの状態が保持される。
【００３２】
前記中ケース３は、図３で明らかなように、前記外ケース２の上面板２ａと同形の底板３ａの長縁に沿ってそれぞれ側板３ｂ，３ｃを付設し、一方の側板３ｂを糊代とし、他方の側板３ｃに沿って上面板３ｄを付設したもので、前記上面板３ｄには、大きな窓部３ｅが打抜きによって形成されている。
【００３３】
前記中ケース３の底板３ａの開口側の短縁には、底板３ａの表面側に折返す折返し片３ｆが付設され、この折返し片３ｆと底板３ａ短縁との間に矩形状の切欠きを形成し、前記折返し片３ｆを表面側に折返したとき、底板３ａの開口部側に溝状の切欠き部３ｇが形成されるよう構成している。
【００３４】
なお、この中ケース３の、前記切欠き部３ｇの近傍の底板３ａには、円弧状の切込み３ｈを形成し、当該切込み３ｈに名刺などのカード３１の一端を差し込むことによって、カード３１を固定するよう構成されている。
【００３５】
前記内ケース４は、図４で明らかなように、底板４ａの長縁に沿って、それぞれ側板４ｂ，４ｃを付設するとともに、各側板４ｂ，４ｃの他方の長縁に沿って、前記側板４ｂおよび４ｃを補強するための折返し片４ｄ，４ｅを設け、開口側の短縁にも、側板４ｆと折返し片４ｇを連続的に付設している。
【００３６】
一方、前記側板４ｆと折返し片４ｇの接続部の中心には、所要の径の円形状の窓を形成し、折返し片４ｇを内側に折り込んだ際、指掛けとなる半円状の切欠き４ｈが形成されるよう構成している。
【００３７】
さらに、前記折返し片４ｇの上縁中央には係止突片４ｉが付設され、当該折返し片４ｇを内側に折返したとき、前記係止突片４ｉの先端部を前記底板４ａの裏面に突出させるため、底板４ａと側板４ｆの接続部中央に切込み４ｊが形成されている。
【００３８】
したがって、図１に示すように、内ケース４を上部が開口する容器として組み立てるに際し、前記折返し片４ｇを内側に折返したとき、当該折返し片４ｇに付設された係止突片４ｉが切込み４ｊを貫通し、底板４ａの裏面に突出するものである。
【００３９】
その際、この切込み４ｊの両端から底板４ａに向かって、一対の切込み４ｋ，４ｋを形成することによって、前記係止突片４ｉが前記切込み４ｊを貫通させ易くすることができる。
【００４０】
なお、底板４ａと側板４ｆとの接続部に沿って前記切込み４ｊを設けるに際し、当該切込み４ｊを、やや底板４ａの先端側に偏倚させて設けることによって、偏倚量に応じた高さの異なる突片が形成される。
したがって、その高さを適宜調節することで、前記係止突片４ｉを外面側からサポートし、前記係止突片４ｉと前記中ケース３の切欠き部３ｇとの繰り返しの係合による強度低下を補強することができる。
【００４１】
さらに、この考案においては、内ケース４は、底板４ａの四周に形成される側板に連続して内側に折り込み、各側板を補強するための折返し片４ｄが付設されているが、側板自体が相応の強度を有するものであれば、折返し片４ｄ，４ｅ，４ｇは必ずしも設ける必要はないものである。
なお、図中４ｉは、前記折返し片の側縁に沿って設けられた張出し片で、前記底板４ａの上面と当接させるものである。
【００４２】
かかる構成から成る外ケース２と、中ケース３及び内ケース４からなる組合せ容器の組立ては、図１の（１）の矢印に示すように、組立てられた内ケース４を同様に組立てられた中ケース３内に挿入する。
【００４３】
その際、前記中ケース３の折返し片３ｆは、図示のように底板３ａの裏面側に折り曲げられているので、切欠き部３ｇが開口側の底板３ａのほぼ中央部に顕出し、内ケース４を中ケース３に挿し込むと、前記切欠き部３ｇと内ケース４の係止突片４ｉの係合状態が常時保持される。
【００４４】
しかるのち、図１の矢印（２）に示すように、内ケース４を内蔵した中ケース３を、外ケース４の開口部から挿入する。
その際、前記外ケース４は、開口部側の折込み片２ｇと２ｈとが、いずれも外ケース４内に折込まれた状態なので、挿入された内ケース４を内蔵する中ケース３は、引出しに際して、中ケース３の底板３ａの裏面側に折込まれた折返し片３ｆと折込み片２ｈが互いに係合し合い、外ケース２から中ケース３が離脱することがない。
【００４５】
前記のようにして組み立てられた組合せ容器１は、前記ボックス状の内ケース４内に、例えば、キャンディのような立体物（図示せず）を収容し、名刺のようなカード（図示せず）を切込み３ｈを利用して底板３ａ上に固定した中ケース３に内蔵したのち、これを外ケース４内の奥まで挿し込む。
【００４６】
かくして得たこの考案の組合せ容器１は、前記外ケース２の開口部に形成された円弧状の切欠き２ｉ，２ｉから顕出する中ケース３の両側面を指で抱持して引き出すと、内ケース４と中ケース３は、中ケース３の切欠き部３ｇに内ケース４に設けられた係止突片４ｉが常時係合しているので、内ケース４が内蔵された中ケース３が引き出され、顕出する内容物は、内ケース４内に収容されたキャンディのみである。
【００４７】
ついで、前記中ケース３を一旦外ケース４内に戻したのち、前記外ケース４の基端側の底面を上方に押圧した状態で中ケース３を引き出すと、前記外ケース２の底板２ｆ上に設けられたストッパー部材２ｅのストッパー２ｄの先端と、内ケース４の下面に突出する係止突片４ｉが係着するので、中ケース３が開口側に引出されても、内ケース４の開口側への移動が阻止される。
【００４８】
その結果、中ケース３のみが引き出されるので、中ケース３の底板３ａ上に保持されたカード３１が顕出することになる。
【００４９】
なお、この考案においては、前記外ケース２の開口部側に半円状の切欠き２ｉ，２ｉを設けて、中ケース３との接触部にしているが、一端が押圧されている中ケース４をスムーズに引き出すには、中ケース３の引出し側にリボンのような引出し部材Ｒを設けることが好ましい。
【００５０】
図５に示す組合せ容器１０は、前記図１に示される組合せ容器１を左右方向に２個連結したもので、図２に示される外ケース２の展開図における上面板２ｆの長側縁に沿って、同形の展開図を左右対称にして連結することによって得られるもので、より楽しむことのできる組合せ容器を提供することができる。
この図３において、２は外ケースを、３は中ケースを、４は内ケースをそれぞれ示すものである。
【００５１】
図６に示す組合せ容器２０は、同形の組合せ容器を長手方向において３個連続的に設けたもので、図７に示す組合せ容器３０は、２個の同形の組合せ容器の閉鎖面同士を連結させたもので、複数の組合せ容器が存在するので、より多様な利用が可能となる。
【００５２】
図７に示す組合せ容器３０は、同一の組合せ容器１，１の閉鎖部同士を連結させたものである。
なお、図６および図７において、２は外ケースを、３は中ケースを、それぞれ示すものである。
【産業上の利用可能性】
【００５３】
この考案にかかる組合せ容器は、外ケースには外観上マジックであることを想像させる機構が一切設けられていないので、子供相手の娯楽用品として使用でるものであるが、例えば化粧品などの試供品の配布や、テーマパークや大型商業施設における土産品としても利用することが可能なもので、広い用途に利用することができる。
【符号の説明】
【００５４】
１    組合せ容器
２    外ケース
２ａ  上面板
２ｄ  ストッパー
２ｅ  ストッパー部材
２ｈ  折込み片
３    中ケース
３ａ  底板
３ｅ  窓部
３ｆ  折返し片
３ｇ  切欠き部
３ｈ  切込み
４    内ケース
４ａ  底板
４ｂ  側板
４ｇ  折返し片
４ｉ  係止突片
４ｊ  切込み
【図１】
0003183594.tif 000003
【図２】
0003183594.tif 000004
【図３】
0003183594.tif 000005
【図４】
0003183594.tif 000006
【図５】
0003183594.tif 000007
【図６】
0003183594.tif 000008
【図７】
0003183594.tif 000009